(57)【要約】【課題】従来用いられていた、椅子座部の回動を停止させるための円盤部が特に必要でなく、コンパクト化に貢献することのできる、椅子座部の回動・停止装置を提供することを課題とする。【解決手段】床面に置かれる等したベース部１に対し、椅子座部４を回動可能に支持するために設けられる、椅子座部の回動・停止装置が、回動部材２と固定部材３とを有するものであり、回動部材２は、ベース部１に対して回動可能に配位されたものであり、回動部材２の側面には回動停止用凹部２１を備えたものであり、この回動停止用凹部２１に、固定部材３である、付勢手段３２によって付勢された先端固定子３１が嵌まることによって、回動部材２の回動を停止させることができる。これにより、従来、ベース部から露出していた円盤部が不要となり、その分コンパクトな椅子座部の回動・停止装置とすることができる。【選択図】          図３
2004248943.tif 000002
【特許請求の範囲】
【請求項１】
床面に置かれたり、壁面に固定される等して、着座時には不動の状態となるベース部（１）に対し、
椅子座部（４）を回動可能に支持するために設けられる、椅子座部の回動・停止装置において、
この装置は、回動部材（２）と固定部材（３）とを有するものであり、
回動部材（２）は、ベース部（１）に対して回動可能に配位されたものであり、
回動部材（２）の側面には回動停止用凹部（２１）を備えたものであり、
固定部材（３）は、ベース部（１）に形成された固定用穴（１７）に配位されたものであり、
固定部材（３）は、先端固定子（３１）と、先端固定子（３１）を回動部材（２）の側面に対して常時当接させるための付勢手段（３２）とを有し、
上記の回動停止用凹部（２１）に先端固定子（３１）の少なくとも一部が嵌まることによって、回動部材（２）の回動を停止させることを特徴とする、椅子座部の回動・停止装置。
【請求項２】
ベース部（１）には、有底の受容穴（１４）が形成されており、
回動部材（２）は、受容穴（１４）の内部に回動可能に配位される挿入部（２ａ）と、挿入部（２ａ）の上部に形成され、椅子座部（４）に連結される連結部（２ｂ）とを有し、
回動部材（２）は、上下方向に伸びる中心軸（Ｃ）に対して回転対称である立体形状を有するものであり、
回動部材（２）の底面（２２）の中央部分は、受容穴（１４）の底面（１５）に対して点接触する接触点（２３ａ）を有するものであり、これにより、回動部材（２）が中心軸（Ｃ）を中心として回動可能であることを特徴とする、請求項１に記載の、椅子座部の回動・停止装置。
【発明の詳細な説明】
【０００１】
【発明の属する技術分野】
本願発明は、理美容用等の椅子の座部を回動及び停止させることができる、椅子座部の回動・停止装置に関するものである。
【０００２】
【従来の技術】
【特許文献１】
特開平８−５６７７０号公報
【０００３】
理美容院で用いられる椅子は、カット等の施術時には、着席者が鏡に対向する方向に椅子座部を向けることができ、着席者が着席・離席する際には、鏡とは反対の方向や横方向等、使い易い方向に向けられるように、椅子座部を回動及び停止可能としている。
【０００４】
上記のように、椅子座部を回動及び停止可能とするために、椅子には椅子座部の回動・停止装置が設けられる。
これは、特開平８−５６７７０号公報（特許文献１）に記載のようなものが存在しており、例えば床面に固定されるベース部に、油圧駆動により昇降可能な昇降台が設けられ、その昇降台の先端部分に回動軸が設けられている。そして、この回動軸に椅子座部が接続される。
この回動軸には、外周方向に突出するようにして円盤部が形成されている。この円盤部には切欠が形成されており、昇降台に弾性支持されたローラーが円盤部の外周に常時、回動可能に当接している。この円盤部は、椅子座部の回動に伴って回動し、上記のローラーが円盤部の切欠に嵌まった際には、円盤部の回動が停止し、これにより椅子座部の回動も停止させることができる。
【０００５】
【発明が解決しようとする課題】
この従来の椅子座部の回動・停止装置においては、上記のような、切欠を有する円盤部が必要であり、この円盤部が昇降台の外部に露出していたため、椅子座部の回動・停止装置をコンパクト化する際の障害になっていた。
よって本願発明は、椅子座部の回動を停止させるための円盤部が特に必要でなく、コンパクト化に貢献することのできる、椅子座部の回動・停止装置を提供することを課題とする。
【０００６】
【課題を解決するための手段】
上記課題を解決するために、本願の請求項１に記載の発明は、床面に置かれたり、壁面に固定される等して、着座時には不動の状態となるベース部１に対し、椅子座部４を回動可能に支持するために設けられる、椅子座部の回動・停止装置において、この装置は、回動部材２と固定部材３とを有するものであり、回動部材２は、ベース部１に対して回動可能に配位されたものであり、回動部材２の側面には回動停止用凹部２１を備えたものであり、固定部材３は、ベース部１に形成された固定用穴１７に配位されたものであり、固定部材３は、先端固定子３１と、先端固定子３１を回動部材２の側面に対して常時当接させるための付勢手段３２とを有し、上記の回動停止用凹部２１に先端固定子３１の少なくとも一部が嵌まることによって、回動部材２の回動を停止させることができることを特徴とする、椅子座部の回動・停止装置を提供する。
【０００７】
又、本願の請求項２に記載の発明は、請求項１に記載の発明において、ベース部１には、有底の受容穴１４が形成されており、回動部材２は、受容穴１４の内部に回動可能に配位される挿入部２ａと、挿入部２ａの上部に形成され、椅子座部４に連結される連結部２ｂとを有し、回動部材２は、上下方向に伸びる中心軸Ｃに対して回転対称である立体形状を有するものであり、回動部材２の底面２２の中央部分は、受容穴１４の底面１５に対して点接触する接触点２３ａを有するものであり、これにより、回動部材２が中心軸Ｃを中心として回動可能であることを特徴とする、椅子座部の回動・停止装置を提供する。
【０００８】
上記の請求項１に記載の発明にあっては、ベース部１の固定用穴１７に配位された固定部材３の先端固定子３１が、回動部材２の回動停止用凹部２１に嵌まることによって、回動部材２の回動を停止させることができるため、従来、ベース部から露出していた円盤部が不要となり、その分コンパクトな椅子座部の回動・停止装置とすることができる。
【０００９】
又、上記の請求項２に記載の発明にあっては、ベース部１における、受容穴１４の底面１５に対して、接触点２３ａにて点接触する回動部材２を配位するものであり、これにより、回動部材２が受容穴１４に対して回動する際の抵抗を少なくでき、従来、滑りを良くするために受容穴に施していた、ふっ素樹脂加工等の特殊加工を廃することができる。
【００１０】
【発明の実施の形態】
以下、図面に基づき、本願発明の実施の一例を取り上げて説明する。図１は、本例の椅子座部の回動・停止装置を取り付けたベース部を示す斜視説明図であり、図２は、本例の椅子座部の回動・停止装置における回動部材を示す側面視説明図であり、図３は、本例の椅子座部の回動・停止装置を取り付けたベース部の要部拡大端面図である。
【００１１】
まず、本例の椅子座部の回動・停止装置を取り付けるためのベース部１について説明する。このベース部１は、図１に示すようなものであり、本例では、床に置くための基台１１と、基台１１の上部に設けられた昇降台１２とを備え、カバーで覆ったものである。なお、図１に示したものは、床に置いて使用する形態のものであるが、壁面に固定できる形態としても良い。つまり、着席者が着席した際において不動の状態にできるものであれば、種々の形態に変更して実施し得る。
【００１２】
昇降台１２は、それぞれ棒状である根元側昇降アーム１２ａと先端側昇降アーム１２ｂとからなり、先端側昇降アーム１２ｂには座取付部１３が形成されている。昇降台１２は油圧機構（図示しない）により、基台１１に対して昇降可能となっている。そして、先端側昇降アーム１２ｂは、昇降時に常時水平が保たれるようになされており、座取付部１３に取り付けられた椅子座部４が傾かないようになっている。
また、座取付部１３には、回動部材２と固定部材３が備えられている。そして、座取付部１３には、図３に示すような、有底の受容穴１４が形成され、回動部材２の挿入部２ａは、この受容穴１４の内部に配位される。
【００１３】
次に、回動部材２について説明する。回動部材２は、本例では、図２に示すようなものであり、略円筒状である。なお、本願発明における回動部材２の形態は、本例のような形態に限られるものではなく、上下方向に伸びる中心軸Ｃに対して回転対称である立体形状を有するものであれば、例えば、球形や円錐形等、他の形態で実施しても良い。
本例においては、回動部材２の下底面２２の中央に、半球状の接触用突起２３が形成されており、この接触用突起２３が、受容穴１４の底面１５に対して、接触用突起２３の下端部分の接触点２３ａにおいて点接触する。これにより、受容穴１４に対して回動部材２の挿入部２ａを配位した際において、回動部材２が回動可能に支持される。そして、この支持は点接触によるものであるから、回動部材２が受容穴１４に対して回動する際の抵抗を少なくできる。
従来においては、受容穴の内側面をふっ素樹脂等の樹脂で表面処理し、滑りを良くして、回動部材が回動する際の抵抗を減らしていたが、本願発明においては、受容穴１４に上記のような特殊な処理を施さなくても、少ない抵抗で回動させることができるため、椅子座部の回動・停止装置の製造工程を簡略化でき、製造コストを削減できる。
【００１４】
本例においては、回動部材２の側に接触用突起２３を設けたものとしたが、本願発明はこれに限られるものではなく、回動部材２の下底面２２を平坦に形成し、その代わりに受容穴１４の底面１５に突起を形成しても良い。また、接触用突起２３の形状についても、本例のような半球状のものに限られず、円錐形等、種々の形状での実施が可能である。
【００１５】
回動部材２には、抜け止め溝２４が側面に形成されており、ベース部の外部方向から止めねじ１６を取り付け、受容穴１４の内側面から突出させることにより、回動部材２が受容穴１４から抜けてしまうことを防止している。この回動部材２の抜け止めについては、本例のような止めねじ１６に限らず、リベットやピンやキーを受容穴１４の内側面から突出させたり、受容穴１４の上端部分に、リング状の部材を取り付けること等により、同様の効果を奏するものとしても良い。なお、本例においては、受容穴１４と回動部材２との間の隙間にグリスが充填されており、止めねじ１６と回動部材２との間における、回動時の摩擦を軽減している。
【００１６】
回動部材２において、挿入部２ａの上方には連結部２ｂが形成されている。この連結部２ｂは、受容穴１４に挿入部２ａを配位した際に、受容穴１４から露出する部分であって、ここに、図３に示すように椅子座部４が固定される。
具体的には、図２に示すように、連結部２ｂを下方が広がったテーパー状に形成したものであり、この連結部２ｂで椅子座部４の荷重を受けるものである。
【００１７】
連結部２ｂの側面には、図２に示すようなストッパー棒２６が突出して形成されており、このストッパー棒２６に椅子座部４に形成された切欠（図示しない）を引掛けることにより、回動部材２に対して椅子座部４を回動不能に固定することができる。
このストッパー棒２６は、連結部２ｂにねじ込み可能なボルトで形成し、椅子座部４をねじ込んで止めることができるものとしても良い。
【００１８】
ところで、回動部材２の挿入部２ａの側面には、回動停止用凹部２１が形成されている。この回動停止用凹部２１は、本例においては、図２及び図３に示すように、断面形状が円形である有底の穴である。この回動停止用凹部２１に、後述する固定部材３の先端固定子３１が嵌まることにより、回動部材２の回動を停止させることができる。
従来においては、上記のように、受容穴の内側面をふっ素樹脂等の樹脂で表面処理し、滑りを良くして、回動部材が回動する際の抵抗を減らしていたため、円盤部に供えられていた切欠を、単純に本例の回動停止凹部２１に置き換えた場合、上記の表面処理した部分に、先端固定子３１を通す固定用穴１７を加工しなければならず、樹脂がこの固定用穴１７を設けた部分から剥がれてきてしまう恐れもあった。しかし、本例においては、接触用突起２３を形成するために、受容穴１４に上記のような表面処理をする必要もないため、製造が容易である。
なお、この回動停止用凹部２１は、本例では回動部材２の側面の１箇所に設けられているが、異なる複数の箇所に設けることにより、複数の位置で回動部材２の回動を停止できるものとしても良い。
【００１９】
次に、固定部材３について説明する。固定部材３は、先端固定子３１と付勢手段３２とを有するものであり、これらの各々は、ベース部１の座取付部１３に形成され、受容穴１４に対して連通して形成された固定用穴１７に配位されている。
先端固定子３１は、付勢手段３２により常時付勢され、その先端部が回動部材２の側面に当接し、回動停止用凹部２１に一致した際には、回動停止用凹部２１に嵌まるものである。本例においては、剛体により形成された先端チップとして実施され、その形状は略円筒状であって、先端側は円錐台状であり、その反対側には、付勢手段であるコイルばねの端部を受容できる凹部が形成されている。また、この先端固定子３１は、本例においては焼き入れにより硬化させた鋼材を用いており、耐久性を持たせている。この先端固定子３１の材料については、耐久性に優れるものであれば良く、セラミック等、種々の材料を用いることができる。また、この先端固定子３１は、従来のように先端側をローラーを備えるものとして、回動部材２の側面を回動しながら当接するものとしても良い。
【００２０】
付勢手段３２は、先端固定子３１を回動部材２に当接する方向に付勢するものである。本例では、この付勢手段３２としてコイルばねを用いているが、他の形状のばねや、ゴム等の弾性を有する樹脂等、その他の弾性体を用いたものであっても良く、種々に変更できる。
【００２１】
固定用穴１７は、本例においては、受容穴１４の内側面に対して直交するようにして、ベース部１の座取付部１３に形成された貫通穴であり、先端固定子３１と付勢手段３２とを内部に配位しており、受容穴１４と反対側の端部はプラグ３４によって封鎖されている。
固定用穴１７の穴径は、先端固定子３１の外径よりもやや大きく形成されており、固定用穴１７の内部を先端固定子３１が摺動可能となっている。
【００２２】
上記の各要素から椅子座部の回動・停止装置を構成することにより、従来必須であった円盤部を省略することができる。よって、椅子座部の回動・停止装置の高さを減らすことができ、椅子のコンパクト化に貢献することができる。
【００２３】
この椅子座部の回動・停止装置の使用方法は、従来のものと同じであり、回動停止用凹部２１と固定部材３とが一致し、回動停止用凹部２１に先端固定子３１が嵌まった際に、椅子座部４の回動を停止させることができ、その他の状態では椅子座部４が回動自在となる。
よって、回動部材２に設ける回動停止用凹部２１の位置を、例えば、椅子座部が鏡に対向する方向（施術時）と、９０°ずらせた方向（着・離席時）に合わせて形成することにより、上記の２つの方向で、椅子座部を停止させることができる。
なお、回動停止凹部２１に対して先端固定子３１が嵌まっている状態は、椅子座部４を少し力を入れて回動させることにより、容易に解除できるようになされている。
【００２４】
【発明の効果】
本願の請求項１に記載の発明にあっては、ベース部の固定用穴に配位された固定部材の先端固定子が、回動部材の回動停止用凹部に嵌まることによって、回動部材の回動を停止させることができるため、従来、ベース部から露出していた円盤部が不要となり、その分コンパクトな椅子座部の回動・停止装置とすることができる。
【００２５】
又、本願の請求項２に記載の発明にあっては、上記の効果に加え、ベース部における、受容穴の底面に対して、接触点にて点接触する回動部材を配位するものであり、これにより、回動部材が受容穴に対して回動する際の抵抗を少なくでき、従来、滑りを良くするために受容穴に施していた、ふっ素樹脂加工等の特殊加工を廃することができる。
【図面の簡単な説明】
【図１】本願発明の実施の一例に係る椅子座部の回動・停止装置を取り付けたベース部を示す斜視説明図である。
【図２】本例の椅子座部の回動・停止装置における回動部材を示す側面視説明図である。
【図３】本例の椅子座部の回動・停止装置を取り付けたベース部の要部拡大端面図である。
【符号の説明】
１      ベース部
１４    受容穴
１５    底面（受容穴）
１７    固定用穴
２      回動部材
２ａ    挿入部
２ｂ    連結部
２１    回動停止凹部
２２    底面（回動部材）
２３ａ  接触点
３      固定部材
３１    先端固定子
３２    付勢手段
４      椅子座部
Ｃ      中心軸
【図１】
2004248943.tif 000003
【図２】
2004248943.tif 000004
【図３】
2004248943.tif 000005